(57)【要約】      （修正有）【課題】顔の形状に沿って変化して、口や鼻からの呼吸が確保できると共に、一枚物として扱うことができる洗髪用フェイスマスクを提供する。【解決手段】中央に折り畳み用の線Ｌ１が形成されるとともに、口Ｂの位置から鼻Ａの位置にかけて折り畳み線Ｌ１を中心に左右対称の切り欠き２が形成されて、中央の折り畳み線Ｌ１を鼻Ａの中央ラインに合わせて被せる。切り欠き２がミシン目で形成されていることが好ましい。【選択図】図１
0003186866.tif 000002
【実用新案登録請求の範囲】
【請求項１】
仰向け姿勢で洗髪・シャンプーをするときに顔面を覆うために使用する洗髪用フェイスマスクであって、中央に折り畳み用の線が形成されるとともに、口の位置から鼻の位置にかけて前記折り畳み線を中心に左右対称の第一の切り欠きが形成されて、中央の折り畳み線を鼻の中央ラインに合わせて被せることを特徴とする洗髪用フェイスマスク。
【請求項２】
前記第一の切り欠きが口の位置から鼻の位置の方向に斜め又は円弧状の切り欠きとして形成されていることを特徴とする請求項１記載の洗髪用フェイスマスク。
【請求項３】
口の位置に第二の切り欠きが前記折り畳み線を中心に左右対称に形成されていることを特徴とする請求項１又は２記載の洗髪用フェイスマスク。
【請求項４】
前記第一と第二の切り欠きがミシン目で形成されていることを特徴とする１ないし３のいずれか１項記載の洗髪用フェイスマスク。
【請求項５】
布製又は紙製であり、全体形状が四角形状又は楕円形状であることを特徴とする請求項１ないし４のいずれか１項記載の洗髪用フェイスマスク。
【請求項６】
前記中央に設けられた折り畳み線を介して折り畳まれて、収納容器に一枚ずつ重ね合わせて収納されて、収納容器から一枚ずつ取り出して使用されるか、又は、前記中央に設けられた折り畳み線を介して折り畳まれた状態で連結されて収納容器に収納されて、収納容器から取り出して所定長さに切断して使用されることを特徴とする請求項１ないし５のいずれか１項記載の洗髪用フェイスマスク。
【考案の詳細な説明】
【技術分野】
【０００１】
本考案は、仰向け姿勢で洗髪・シャンプーをするときに顔面を覆うために使用する洗髪用フェイスマスクに関する。
【背景技術】
【０００２】
美容院や床屋などで仰向け姿勢で洗髪・シャンプーをするときに顔面を覆い、シャンプーや水が顔に掛からないようにするために洗髪用フェイスマスクが使用されている。この洗髪用フェイスマスクとしては、布製や、ビニール製などの合成樹脂製のものや、衛生上から使い捨てを考慮して、紙製なども使用される。しかし、単に顔に被せるだけでは、位置ずれが生じたり、顔を傾けると落下してしまう。
【０００３】
そこで、特許文献１〜３等が開示されている。
特許文献１は、仰向け姿勢で洗髪・シャンプーをするときに顔面を覆うために、鼻と口の部分を欠如し開放した洗髪用フェイスマスクが開示されている。
特許文献２と３には、樹脂製不織布など紙状シ−トの一方の面の一部の周縁部に沿った所定の位置に、片面接着剤あるいは粘着剤が塗布された接着テ−プを貼り付けた洗髪用フェイスマスクや、また、木材パルプ６０％と化学繊維４０％から成り、蛍光塗料を使用しない洋紙など紙状シートの一方の端部に沿った位置に、蝋（ろう）が含浸された面の内面が顔の皮膚に軽く押圧して付着され、被洗髪者を洗髪する際にシャンプ用顔カバーが顔面上に保持され、被使用者の顔や目、耳などに洗剤や水が付着しないようにする洗髪用フェイスマスクが開示されている（図１０）。
【先行技術文献】
【特許文献】
【０００４】
【特許文献１】実開平Ｈ０１−９１４２８号公報
【特許文献２】実用新案登録第３００３７５１号公報
【特許文献３】実用新案登録第３０４８８１１号公報
【考案の開示】
【考案が解決しようとする課題】
【０００５】
しかしながら、上記特許文献２と３では、口や鼻からの呼吸がし難くなる問題がある。ビニール紙製の場合は、特に口や鼻からの呼吸がし難くなるが、紙製や布製の場合にも口や鼻からの呼吸がし難くなる場合がある。
また、上記特許文献２と３では、顔の形状に沿ってフェイスマスクが変化し難いという問題がある。紙製や布製の場合は、柔軟性を有するが、それでも顔の形状に沿わせるためには、圧力を加えたり、水などを付着させないと、顔を傾けたときには、落下させてしまう問題を有していた。このため、上記特許文献では、蝋が含浸されたもので、水を付着させるものとする。
【０００６】
一方、特許文献１では、鼻と口の位置が大きく開口しているために、鼻と口に水などが入り込む恐れがある。なお、従来の洗髪用フェイスマスクは、耳に掛け保持する耳掻け部や、紐やゴム紐により保持する保持紐を設けたものがあるが、取り扱いが難しく、高価になる問題を有する。
【０００７】
そこで、本考案の目的は、顔の形状に沿って変化して、口や鼻からの呼吸が確保できると共に、一枚物として扱うことができ、特に使い捨てフェイスマスクとしての使用に好適な洗髪用フェイスマスクを提供することにある。
【課題を解決するための手段】
【０００８】
本考案の洗髪用フェイスマスクは、仰向け姿勢で洗髪・シャンプーをするときに顔面を覆うために使用する洗髪用フェイスマスクであって、中央に折り畳み用の線が形成されるとともに、口の位置から鼻の位置にかけて前記折り畳み線を中心に左右対称の第一の切り欠きが形成されて、中央の折り畳み線を鼻の中央ラインに合わせて被せることを特徴とする。
この考案によれば、中央から折り畳まれた洗髪用フェイスマスクを左右に広げるようにして、鼻の位置を中心に顔に被せて即座に使用できる。すなわち、折り畳み用の線を鼻の位置に沿って被せる使用状態では、前記第一の切り欠きが開くことにより、口や鼻からの呼吸が確保されるが、前記第一の切り欠きが開くことにより、鼻から額付近へのラインと、口から顎付近へのラインが分かれるので、これら各部分の形状に沿って顔を覆うことになる。また、第一の切り欠きが開くと、開いた開口端縁が鼻の下や顔（顔の皮膚）と接触して、その移動を阻止する。したがって、顔を傾けても、位置がずれたり落下したりすることがない。
【０００９】
本考案としては、前記第一の切り欠きが口の位置から鼻の位置の方向に斜め又は円弧状の切り欠きとして形成されていることが好ましい。
この考案によれば、第一の切り欠きによる開口部が鼻と当接して、位置ずれや落下を防止する。すなわち、これとは逆方向に切り欠きを形成した場合と比較すると、顔に被せた使用状態では、口の形状に沿って開口するが、それ以外の状態では開口部が大きくならず、閉塞する方向に力が働くこととなる。
また、前記第一の切り欠きが口の位置から鼻の位置の方向に斜め又は円弧状の切り欠きが形成されているとともに、口の位置にも切り欠きが形成されていることが好ましい。
本考案によれば、口の位置の第二の切り欠きが口からの呼吸を確保すると共に、前記鼻の位置の切り欠きとともに開口して、顔の形状に対応して変化すると共に、口部分の皮膚と接触して、位置ずれや落下を防止する。
【００１０】
本考案としては、前記第一と第二の切り欠きがミシン目で形成されていることが好ましい。
本考案によれば、ミシン目をカットする前は、一枚物として扱うことができ、ミシン目をカットすると、中央の折り畳み線を介してミシン目をカットすることも可能である。また、収納した収納容器から取り出すときも切り欠きから破れるような事態を防止することができる。また、本考案によれば、前記切り欠き長さを長くしても、必要な場合だけ長さに応じて、使用状態に速やかに口に対応する大きさに開口させることができる。
【００１１】
本考案としては、布製又は紙製であり、全体形状が四角形状又は楕円形状であることが好ましい。
本考案によれば、布製又は紙製であることから、水等を使用して、顔の皮膚や額と接触させて、位置ずれしたり落下を防止することができる。また、全体形状が四角形状又は楕円形状であることにより、収納容器にコンパクトに折り畳んで収納でき、収納容器から取り出して、中央から折り畳まれた洗髪用フェイスマスクを左右に広げるようにして、鼻の位置を中心に顔に被せて即座に使用できる。
【００１２】
本考案としては、前記中央に設けられた折り畳み線を介して折り畳まれて、収納容器に一枚ずつ重ね合わせて収納されるか、又は、中央の折り畳み線を介して二つ折りで重ね合わせて収納されて、収納容器から一枚ずつ取り出し可能に構成されていることが好ましい。
本考案によれば、シート状の収納容器にコンパクトに重ねた状態で収納したり、又、中から折り畳んだ状態で収納容器に収納することができるとともに、収納容器から取り出すときにも、前記切り欠きを損傷させないようにして取り出すことができる。特に、切り欠きを斜めに形成したり、円弧形状に形成したり、更にはミシン目として形成することにより、収納容器から取り出すときにも、前記切り欠きを損傷させないようにして取り出すことができる。
【考案の効果】
【００１３】
本考案によれば、折り畳み用の線を鼻の位置に沿って被せる使用状態では、前記切り欠きが開くことにより、口や鼻からの呼吸が確保されるとともに、切り欠きが開くと、開いた開口端縁が鼻の下に位置したり、顔（顔の皮膚）と接触して、その移動を阻止する。また、前記切り欠きが開くことにより、鼻から額付近へのラインと、口から顎付近へのラインが分かれるので、これら各部分の形状に沿って顔を覆うことになる。したがって、顔を傾けても、位置がずれたり落下したりすることがない。
また、本考案によれば、ミシン目が切り欠きに施されていることで、使用するとき以外は、一枚物として扱うことができ、収納容器に収納しても、取り出すときに損傷させる事態を防止することができる。また、中央から折り畳むようにした状態で使用することから、収納容器に収納し易く、取り出して、即座に使用できる。そして、布製や紙製であると、安価に製作でき、また、使い捨て使用できて、衛生的な使用ができる。
【図面の簡単な説明】
【００１４】
【図１】本考案の一実施形態の洗髪用フェイスマスクを示す図であり、（ａ）はその側面図であり、（ｂ）はその平面図である。
【図２】上記一実施形態の洗髪用フェイスマスクの使用状態を示す側面図である。
【図３】上記一実施形態の洗髪用フェイスマスクの他の例を示す図であり、（ａ）はその側面図であり、（ｂ）はその平面図である。
【図４】上記一実施形態の洗髪用フェイスマスクの他の例を示す図であり、（ａ）はその側面図であり、（ｂ）はその平面図である。側面図である。
【図５】上記一実施形態の洗髪用フェイスマスクの他の例を示す図であり、（ａ）はその側面図であり、（ｂ）はその平面図である。
【図６】上記一実施形態の洗髪用フェイスマスクの他の例を示す平面図であり、（ａ）はその側面図であり、（ｂ）はその平面図である。
【図７】上記一実施形態の洗髪用フェイスマスクの他の例の使用状態を示す図であり、（ａ）は被せた状態の図であり、（ｂ）は切り欠きを開いた状態の図である。
【図８】上記一実施形態の洗髪用フェイスマスクを連結させた状態の図であり、（ａ）はその側面図であり、（ｂ）はその平面図である。
【図９】上記一実施形態の洗髪用フェイスマスクを収納容器に入れて取り出す状態の斜視図である。
【図１０】従来の洗髪用フェイスマスクの図であり、（ａ）はその側面図であり、（ｂ）はその平面図である。
【考案を実施するための形態】
【００１５】
以下、本考案を適用した具体的な実施の形態について図面を参照しながら詳細に説明する。
【００１６】
図１（ａ）（ｂ）と図２（ａ）（ｂ）に示すように、本考案に係る洗髪用フェイスマスク１は、中央に折り畳み用の線が形成されるとともに、口の位置から鼻の位置にかけて前記折り畳み線を中心に左右対称の切り欠きが形成されている。この洗髪用フェイスマスク１は、布や紙などで構成されている。例えば、不織布または不織紙などを使用できる。布や紙の少なくとも一方の面には撥水加工が施されているものでも良い。そして、この四角形状や楕円形状の中央に折り畳み用の線Ｌ１が形成され、折り畳み用の線Ｌ１の中央から折るようにして使用する。髪用フェイスマスク１は、四角形状や楕円形状のような左右対称になるものが好ましい。なお、色彩や絵柄などを施しても良い。また、合繊長繊維不織布（例えば、メッシュ状のレーヨン素材、ポリエステル素材、ナイロン素材、又は、ポリプロピレン素材などを使用してもよく、また、美容院などで使用されるコールドペーパー（コールド液用ペーパー）を使用すれば、水を付着させると、簡単に額などに付着させることができる。なお、額の部分は、上記合繊長繊維不織布や、ガーゼ生地、綿生地などを使用して、額の下から後は、紙としたり、又、紙と布の二重構造にしたりすることも可能である。
【００１７】
洗髪用フェイスマスク１のほぼ中央には、切り欠き２が形成されている。この切り欠き２は、鼻からの呼吸を確保するとともに、開口させたときに鼻の下に位置して、マスクが位置ずれしないようにするために形成されているものであり、中央の折り畳み用の線Ｌ１を中心にして対称に形成されている。図１の例は、直線状の切り欠き２であり、図３と図４の例は、直線形状の切り欠き２であり、図５の例は、口Ｂの方向から鼻Ａやあるいは耳の方向に形成された円弧形状の切り欠き２である。これらの切り欠き２は、鼻Ａの位置を基準に設けられており、その位置Ａは、マスク１のほぼ中央でもある。切り欠き２は、中央の折り畳み用の線Ｌ１から垂下するものでも良いが、収納袋や収納ボックスなどの収納容器Ｓから取り出すときに損傷するおそれや、鼻Ａの下の位置で引っ掛かり易くすること、さらにできるだけ切り欠き２による開口が開き過ぎないようにするためには、斜めに切り欠いたり、円弧形状に切り欠いたりすることが好ましい。そして、図４と図５に示すように、上記各切り欠き２には、ミシン目３として形成して、顔に被せる使用状態以外では、切り欠き２が開口しないようにすることも可能である。
【００１８】
また、前記切り欠き２の他に、口Ｂの位置にも切り欠き（第二の切り欠き）２ａが形成されている洗髪用フェイスマスク１としても良い（図６）。図６の例では、第二の切り欠き２ａの長さは、前記切り欠き２の長さよりも短く形成され、中央の折り畳み用の線Ｌ１を中心に対称に形成されているが、第二の切り欠き２ａの長さは、前記切り欠き２の長さよりも長く形成されるものでも良い。切り欠き２の長さよりも長くし、カットを大きくすることで、下方へ下がると同時に、両頬に接する面が内側に向けて力が入りズレを防ぐことができる（図７（ａ）（ｂ））。
このようにして、口Ｂの位置の第二の切り欠き２ａが口からの呼吸を確保するが、鼻Ａの位置の切り欠き２が開口すると、これに対して対応して開口して、顔の形状に対応して変化する。また、口Ｂの部分の皮膚と接触して、位置ずれや落下を防止する。
【００１９】
ここで、図９（ａ）（ｂ）は、本考案に係る洗髪用フェイスマスク１を収納容器Ｓ１に収納した状態から取り出す状態を説明する図である。本実施の形態は、折り畳み用の線Ｌ１の中央から折畳まれた状態で、重ね合わせて多数枚が収納容器Ｓ１に収納されている。すなわち、二つに折り畳まれて、交互に差し込められるようにして重ね合わされ（図９（ｂ））、下方側から一枚を引き出すと、順に一枚ごとの洗髪用フェイスマスク１が引き出される。しかし、切り欠きからの損傷は生じ難くなる。特に、第一と第二の切り欠き２，２ａがミシン目３であると、切り欠きが取り出しに際して損傷する事態を防止する。そして、ポケットティッシュのように、コンパクトに折り畳んで収納して取り出すことが可能である。
また、折り畳み線Ｌ１を介して折り畳まれた状態で連結されて、つまりミシン目１２を介して連結されて（図８（ａ）（ｂ））、この連結状態で、巻き回されて収納容器Ｓ２に収納されて、収納容器Ｓから取り出して所定長さにミシン目１２を介して切断して使用されることも可能である。また、図８（ｃ）は、楕円形状の洗髪用フェイスマスク１をミシン目１２を介して多数連結して、これを巻き回して収納容器Ｓ２に収納させる例を示す。
【００２０】
本考案の洗髪用フェイスマスク１，１１の使用方法は、収納容器Ｓから洗髪用フェイスマスク１を取り出すなどして（図９参照）、洗髪者の顔面に被せるが、中央の折り畳み用の線Ｌ１のほぼ中央を鼻の位置になるようにして被せるか、鼻の位置からやや口の位置になるようにして顔に被せる（図２（ａ））。ミシン目３が施されている場合は、ミシン目３を解除して顔に被せる。顔に被せてから、切り欠き２を開口させると、開口端縁２ｂが鼻Ａの下の位置にくるので、鼻からの呼吸が確保されるとともに、鼻Ａの位置で引っ掛かるようになり、位置ずれが防止できる。また、切り欠き２が開くことにより、鼻Ａから額付近へのラインと、口Ｂから顎Ｃ付近へのラインが分かれるので、これら各部分の形状に沿って顔を覆うことになる。そして、洗髪用フェイスマスク１を軽く顔に押えることにより、顔の形状に沿って顔面に接触させる。紙製や布製であると、洗髪者の皮膚水分により顔面との付着状態を保持できることもできる。このように被せて使用すると、髪者の顔面から動いたり、ずれ落ちることがなく、顔面にシャンプー液や水などが付着することがない。
なお、切り欠き２を長くして、開口を大きくすると、図２（ｂ）に示すように、マスク１の下方側を顎Ｃに引っかけるようにする使用も可能である。
【００２１】
ここで、本実施の形態の洗髪用フェイスマスク１の中央には、印を付けておき、この印を鼻の位置に合わせるようにしても良い。また、中央の折り畳み用の線Ｌ１のほかに、この線Ｌ１と交差する直線Ｌ２を形成しても良い（図４（ｂ））。また、上記直線Ｌ２を中心にして、それよりも額側と顎側の材質を変更することも可能である。例えば、上記直線Ｌ２を中心に額側では、水などを使用して密着力の高い材質（メッシュ素材等）を使用し、顎側の材質は、顔とはできるだけ密着しない材質（紙など）を使用しても良く、これらを多層構造のシートとするものでも良い。
【００２２】
以上、本実施の形態では、顔との接着を図るために、水などを付着させて、顔と密着させたり、又、撥水加工させたものを使用しても良い。また、紙製の場合は、あぶらとり紙を使用しても良い。さらに、レーヨン素材やポリエステル素材などと組み合わせたり多重層構造にしたり、前記折り畳み線Ｌ１，Ｌ２の位置で素材を変更したり、種種の変更仕様が可能で、このように本考案の範囲内で種種の変更使用が可能である。
【符号の説明】
【００２３】
１，１１  洗顔用フェイスマスク、
２    第一の切り欠き、２ａ  口の位置の切り欠き（第二の切り欠き）、２ｂ    開口端縁、
３，１２    ミシン目、
５    水の付着位置、
Ｌ１    中央の折り畳み用の線、Ｌ２  中央の折り畳み用の線と交差する直線、
Ｓ１，Ｓ２    収納容器（収納袋、収納箱）
Ａ    鼻の位置、Ｂ    口の位置
【図１】
0003186866.tif 000003
【図２】
0003186866.tif 000004
【図３】
0003186866.tif 000005
【図４】
0003186866.tif 000006
【図５】
0003186866.tif 000007
【図６】
0003186866.tif 000008
【図７】
0003186866.tif 000009
【図８】
0003186866.tif 000010
【図９】
0003186866.tif 000011
【図１０】
0003186866.tif 000012
【手続補正書】
【提出日】平成25年8月26日(2013.8.26)
【手続補正１】
【補正対象書類名】実用新案登録請求の範囲
【補正対象項目名】全文
【補正方法】変更
【補正の内容】
【実用新案登録請求の範囲】
【請求項１】
仰向け姿勢で洗髪・シャンプーをするときに顔面を覆うために使用する洗髪用フェイスマスクであって、中央に折り畳み用の線が形成されるとともに、口の位置から鼻の位置にかけて前記折り畳み線を中心に左右対称の第一の切り欠きが形成されて、中央の折り畳み線を鼻の中央ラインに合わせて被せることを特徴とする洗髪用フェイスマスク。
【請求項２】
前記第一の切り欠きが口の位置から鼻の位置の方向に斜め又は円弧状の切り欠きとして形成されていることを特徴とする請求項１記載の洗髪用フェイスマスク。
【請求項３】
口の位置に第二の切り欠きが前記折り畳み線を中心に左右対称に形成されていることを特徴とする請求項１又は２記載の洗髪用フェイスマスク。
【請求項４】
前記第一と第二の切り欠きがミシン目で形成されていることを特徴とする請求項１ないし３のいずれか１項記載の洗髪用フェイスマスク。
【請求項５】
布製又は紙製であり、全体形状が四角形状又は楕円形状であることを特徴とする請求項１ないし４のいずれか１項記載の洗髪用フェイスマスク。
【請求項６】
前記中央に設けられた折り畳み線を介して折り畳まれて、収納容器に一枚ずつ重ね合わせて収納されて、収納容器から一枚ずつ取り出して使用されるか、又は、前記中央に設けられた折り畳み線を介して折り畳まれた状態で連結されて収納容器に収納されて、収納容器から取り出して所定長さに切断して使用されることを特徴とする請求項１ないし５のいずれか１項記載の洗髪用フェイスマスク。